(57)【要約】【課題】溝内に流れ込む水を効率よく排出してハイドロプレーニング現象を抑制することが出来、且つ、製造が容易な空気入りタイヤを提供する。【解決手段】  トレッド部１にタイヤ周方向に延在する主溝１０Ａ又はタイヤ周方向に対して傾斜して延在する主傾斜溝１０Ｂを有する空気入りタイヤにおいて、主溝１０Ａ又は主傾斜溝１０Ｂの溝底中央Ｃに対して一方側の溝内面１４と他方側の溝内面１５のうち、少なくとも一方側の溝内面１４に、溝内面１１から突出すると共にトレッド面に平行な基準線Ｌに対して振幅を持って周期的に湾曲しながら主溝１０Ａ又は主傾斜溝１０Ｂの長手方向に延在する突条体１２を形成する。【選択図】図４
2014124985.tif 000002
【特許請求の範囲】
【請求項１】
トレッド部にタイヤ周方向に延在する主溝又はタイヤ周方向に対して傾斜して延在する主傾斜溝を有する空気入りタイヤにおいて、
前記主溝又は前記主傾斜溝の溝底中央に対して一方側の溝内面と他方側の溝内面のうち、少なくとも一方側の溝内面に、該溝内面から突出すると共にトレッド面に平行な基準線に対して振幅を持って周期的に湾曲しながら前記主溝又は前記主傾斜溝の長手方向に延在する突条体を形成したことを特徴とする空気入りタイヤ。
【請求項２】
前記突条体を前記一方側の溝内面と前記他方側の溝内面の両方に形成すると共に、一方側の溝内面に設けられた突条体と他方側の溝内面に設けられた突条体とが周期が同じで位相が異なる湾曲形状を有することを特徴とする請求項１に記載の空気入りタイヤ。
【請求項３】
前記突条体を前記一方側の溝内面と前記他方側の溝内面の両方に形成すると共に、一方側の溝内面に設けられた突条体と他方側の溝内面に設けられた突条体とが周期が異なる湾曲形状を有することを特徴とする請求項１に記載の空気入りタイヤ。
【請求項４】
空気圧２３０ｋＰａを充填し、最大負荷能力の８０％の荷重を負荷したときの接地面内に含まれる前記主溝又は前記主傾斜溝の有効長さａと、前記突条体の湾曲形状の繰り返し単位の１周期の長さｂとが、ａ≧ｂの関係を満たすことを特徴とする請求項１〜３のいずれかに記載の空気入りタイヤ。
【請求項５】
前記突条体が溝底から溝深さの７５％の範囲内に存在することを特徴とする請求項１〜４のいずれかに記載の空気入りタイヤ。
【請求項６】
前記突条体の湾曲形状の谷が前記溝底中央の近傍に配置されたことを特徴とする請求項１〜５のいずれかに記載の空気入りタイヤ。
【請求項７】
前記突条体の突出高さが０ｍｍ以上１ｍｍ以下の範囲内で変動し、前記主溝又は前記主傾斜溝の溝幅が広い部分での前記突条体の突出高さを高くすると共に、前記主溝又は前記主傾斜溝の溝幅が狭い部分での前記突条体の突出高さを低くしたことを特徴とする１〜６のいずれかに記載の空気入りタイヤ。
【請求項８】
前記突条体の最大幅が０．２ｍｍ以上１．０ｍｍ以下であることを特徴とする請求項１〜７に記載の空気入りタイヤ。
【請求項９】
前記一方側の溝内面及び／又は前記他方側の溝内面のそれぞれに２本の突条体が設けられ、これら２本の突条体の振幅及び／又は周期が互いに異なることを特徴とする請求項１〜８のいずれかに記載の空気入りタイヤ。
【発明の詳細な説明】
【技術分野】
【０００１】
本発明は、空気入りタイヤに関し、更に詳しくは、溝内に流れ込む水を効率よく排出してハイドロプレーニング現象を抑制することが出来、且つ、製造が容易な空気入りタイヤに関する。
【背景技術】
【０００２】
空気入りタイヤでは、排水性能を確保するために、トレッド面にタイヤ周方向に延在する主溝や、タイヤ周方向に対して傾斜して延在する主傾斜溝が形成されている。このような空気入りタイヤの排水性を改善するために、これら溝の内面に複数本の突起又は窪みを設けることが提案されている（例えば、特許文献１，２を参照）。
【０００３】
しかしながら、このような空気入りタイヤでは、細かい突起や窪みが多数設けられているため、金型の製造が難しく、更に、加硫時に金型の凹部（タイヤ側の突起に対応）や凸部（タイヤ側の窪みに対応）にゴムが流れ込み難いため加硫故障が発生し易く、生産性が悪化するという問題がある。生産性を上げるために突起又は窪みの本数を減らすことも考えられるが、単に本数を減らしただけでは排水性を改善する効果が充分に得られなくなるという問題がある。
【先行技術文献】
【特許文献】
【０００４】
【特許文献１】特開２００２−２１９９０６号公報
【特許文献２】国際公開第２００４／０４８１３０号
【発明の概要】
【発明が解決しようとする課題】
【０００５】
本発明の目的は、溝内に流れ込む水を効率よく排出してハイドロプレーニング現象を抑制することが出来、且つ、製造が容易な空気入りタイヤを提供することにある。
【課題を解決するための手段】
【０００６】
上記目的を達成するための本発明の空気入りタイヤは、トレッド部にタイヤ周方向に延在する主溝又はタイヤ周方向に対して傾斜して延在する主傾斜溝を有する空気入りタイヤにおいて、前記主溝又は前記主傾斜溝の溝底中央に対して一方側の溝内面と他方側の溝内面のうち、少なくとも一方側の溝内面に、該溝内面から突出すると共にトレッド面に平行な基準線に対して振幅を持って周期的に湾曲しながら前記主溝又は前記主傾斜溝の長手方向に延在する突条体を形成したことを特徴とする。
【発明の効果】
【０００７】
本発明の空気入りタイヤは、溝内面に振幅を持って周期的に湾曲した突条体を有するので、この突条体が溝内の水を掻きだす方向に動き、突条体付近の水に渦が発生する。これにより、溝内面付近の水の流れが良くなると共に溝中央付近の速い水流と混ざって溝内全体の水流の速度が増し、効率的な排水が可能になる。また、突条体が振幅を持って湾曲しているので、走行時の空気入りタイヤの変形に起因するグルーブクラックの発生を防止することが出来る。更に、この形状により、排水性能を向上できるので、突起の本数を減少してゴム流れを良くして加硫故障を防止することが可能になる。
【０００８】
本発明においては、突条体を一方側の溝内面と他方側の溝内面の両方に形成すると共に、一方側の溝内面に設けられた突条体と他方側の溝内面に設けられた突条体とが周期が同じで位相が異なる湾曲形状を有するようにすることが出来る。或いは、突条体を一方側の溝内面と他方側の溝内面の両方に形成すると共に、一方側の溝内面に設けられた突条体と他方側の溝内面に設けられた突条体とが周期が異なる湾曲形状を有するようにすることが出来る。このように両側の溝内面に突条体を設け、両側の突条体の湾曲形状の山と谷とが揃わないようにすることで、より効果的に溝内の水を掻き出すと共に渦を発生させて水流の速度を増大させ、排水性能を向上することが出来る。
【０００９】
本発明においては、空気圧２３０ｋＰａを充填し、最大負荷能力の８０％の荷重を負荷したときの接地面内に含まれる主溝又は主傾斜溝の有効長さａと、突条体の湾曲形状の繰り返し単位の１周期の長さｂとが、ａ≧ｂの関係を満たすことが好ましい。このように接地面内に少なくとも１周期分の突条体が含まれるようにすることで、効果的に溝内の水を掻き出すと共に渦を発生させることが出来、排水性能を更に向上することが出来る。
【００１０】
本発明においては、突条体が溝底から溝深さの７５％の範囲内に存在することが好ましい。このように突条体を配置することで、摩耗初期においても突条体による排水性能を向上する効果を維持することが出来る。
【００１１】
本発明においては、突条体の湾曲形状の谷が溝底中央の近傍に配置されたことが好ましい。これにより、溝内面の広範囲に突条体を設けることが出来るため、より効果的に溝内の溝を掻き出し、排水性能を向上することが出来る。
【００１２】
本発明においては、突条体の突出高さが０ｍｍ以上１ｍｍ以下の範囲内で変動し、主溝又は主傾斜溝の溝幅が広い部分での突条体の突出高さを高くすると共に、主溝又は主傾斜溝の溝幅が狭い部分での突条体の突出高さを低くすることが好ましい。これにより、突条体を設けることで溝体積を大きく減少させることを防ぎ、優れた排水性能を得ることが出来る。
【００１３】
本発明においては、突条体の最大幅が０．２ｍｍ以上１．０ｍｍ以下であることが好ましい。この範囲に設定することで、溝体積を維持して排水性能を保つことが出来る。また、金型の生産性が良くなると共に、製造時のゴム流れを阻害しないので、生産性を向上することが出来る。
【００１４】
本発明においては、一方側の溝内面及び／又は他方側の溝内面のそれぞれに２本の突条体が設けられ、これら２本の突条体の振幅及び／又は周期が互いに異なることが好ましい。これにより、溝内の水を掻き出す効果を高めることが出来る。また、トレッド面側の突条体が摩滅しても突条体による効果を維持することが出来る。
【図面の簡単な説明】
【００１５】
【図１】本発明の空気入りタイヤの一例を示す子午線断面図である。
【図２】本発明の空気入りタイヤのトレッド面の一例を示す正面図である。
【図３】本発明の空気入りタイヤのトレッド面の他の例を示す正面図である。
【図４】本発明の実施形態からなる空気入りタイヤの溝の一部を切り取って示す斜視    図である。
【図５】本発明の実施形態からなる空気入りタイヤの溝の一部を拡大して示す展開図    である。
【図６】図５のＸ−Ｘ矢視断面図である。
【図７】本発明の他の実施形態からなる空気入りタイヤの溝の一部を拡大して示す展    開図である。
【図８】図７のＸ−Ｘ矢視断面図である。
【図９】本発明の更に他の実施形態からなる空気入りタイヤの溝の一部を拡大して示    す展開図である。
【図１０】図９のＸ−Ｘ矢視断面図である。
【図１１】本発明の空気入りタイヤの接地面を示す説明図である。
【図１２】本発明の更に他の実施形態からなる空気入りタイヤの溝を拡大して示す展    開図である。
【図１３】本発明の空気入りタイヤの溝に形成された様々な突条体の形状を示す断面    図である。
【図１４】本発明の更に他の実施形態からなる空気入りタイヤの溝の一部を拡大して    示す展開図である。
【図１５】図１４の位置Ｘ，Ｙ，Ｚのそれぞれにおける断面図である。
【図１６】本発明の更に他の実施形態からなる空気入りタイヤの溝の一部を拡大して    示す展開図である。
【発明を実施するための形態】
【００１６】
以下、本発明の構成について添付の図面を参照しながら詳細に説明する。
【００１７】
図１に例示する空気入りタイヤＴにおいて、ＣＬはタイヤセンターライン、１はトレッド部、２はサイドウォール部、３はビード部である。左右一対のビード部３間にはカーカス層４が装架されている。このカーカス層４は、タイヤ径方向に延びる複数本の補強コードを含み、各ビード部３に配置されたビードコア５の廻りにタイヤ内側から外側に折り返されている。また、ビードコア５の外周上にはビードフィラー６が配置され、このビードフィラー６がカーカス層４の本体部分と折り返し部分により包み込まれている。
【００１８】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。更に、ベルト層７の外周側にはタイヤ周方向に配向する繊維コードを含むベルト補強層８が設けられている。ベルト補強層８のタイヤ周方向に対するコード角度は５°以下、より好ましくは、３°以下である。
【００１９】
本発明は、このような一般的な空気入りタイヤに適用されるが、その具体的な構造は上述の基本構造に限定されるものではない。
【００２０】
本発明の空気入りタイヤのトレッド面９（トレッド部１の表面）には、少なくとも、図２に例示するようなタイヤ周方向に延びる複数本の主溝１０Ａか、図３に例示するようなタイヤ周方向に対して傾斜して延在する複数本の主傾斜溝１０Ｂが形成されている（以下、特に断りがない限り、主溝１０Ａ及び主傾斜溝１０Ｂをまとめて溝１０と言う）。そして、これら溝１０の溝内面１１には突条体１２が形成されている。尚、これら溝１０の他に、タイヤ幅方向に延びる横溝や、主溝及び主傾斜溝よりも溝幅が狭い副溝などの任意の溝を形成しても良い。
【００２１】
図４〜６に例示するように、溝１０に形成された突条体１２は、溝内面１１から突出すると共に、トレッド面９に平行な基準線Ｌに対して振幅を持って周期的に湾曲しながら溝の長手方向に延在する。図４〜６に例示する実施形態では、突条体１２は、溝底１３の溝幅方向中央（溝底中央Ｃ）に対して一方側の溝内面１４と他方側の溝内面１５のうち、一方側の溝内面１４のみに設けられている。図示の例では、特に、一方側の溝内面１４の溝壁１６に突条体１２が形成されている。また、図示の例では、突条体１２の湾曲形状は、正弦波状になっている。
【００２２】
この突条体１２は、走行時には路面に対して溝内の水を掻き出す方向に動くので、突条体１２付近の水に渦を発生させることが出来る。これにより、溝内面１１付近の水の流れが良くなると共に溝中央付近の速い水流と混ざって、溝内全体の水流の速度が増し、効率的な排水が可能になる。また、突条体１２が振幅を持って湾曲しているので、走行時の空気入りタイヤの変形に起因するグルーブクラックの発生を防止することが出来る。更に、この湾曲形状によって従来の直線形状の突条体よりも排水性能を向上できるので、突条体１２の本数を減少して製造時のゴム流れを良好にして加硫故障の発生を防止することが可能になる。
【００２３】
上述のように、図４〜６に例示する実施形態では、突条体１２は、溝底中央Ｃに対して一方側の溝内面１４のみに設けられているが、図７〜１０に例示するように、一方側の溝内面１４と他方側の溝内面１５とに、それぞれ突条体１２を形成することも出来る。
【００２４】
図７，８に例示する実施形態では、一方側の溝内面１４に設けられた突条体１２と他方側の溝内面１５に設けられた突条体１２とが、周期が同じで位相が異なる湾曲形状を有している。一方、図９，１０に例示する実施形態では、一方側の溝内面１４に設けられた突条体１２と他方側の溝内面１５に設けられた突条体１２とが、周期が異なる湾曲形状を有している。いずれの場合も、位相の違い又は周期の違いによって、両側の突条体１２の湾曲形状の山と谷とが揃わないようになっており、より効果的に溝内の水を掻き出すと共に水の渦を発生させて水流の速度を増大させ、排水性能を向上することが出来る。
【００２５】
このように両側の溝内面１１に突条体１２を設ける場合、両側の突条体１２の湾曲形状の山と谷とが互い違いになれば良いので、両側の突条体１２の湾曲形状の振幅は同一であっても、異なっていても構わない。
【００２６】
突条体１２は、少なくとも上述の湾曲形状を有していれば、接地領域内において路面に対して傾斜した部分を有するので、溝１０内の水を掻き出すことが出来るが、より効率的に水を掻き出すためには、空気圧２３０ｋＰａを充填し、最大負荷能力の８０％の荷重を負荷したときの接地面Ｇ（以下、接地面Ｇと言う）内に含まれる溝１０の有効長さａと、突条体１２の湾曲形状の繰り返し単位の１周期の長さｂとが、ａ≧ｂの関係を満たすことが好ましい。これにより、接地面Ｇ内に含まれる溝１０に、突条体１２の湾曲形状の繰り返し単位が少なくとも１周期分含まれることになる。従って、突条体１２の湾曲形状の山と谷とが接地面Ｇ内に確実に含まれるので効率的に水を掻き出すことが可能になる。
【００２７】
尚、溝１０が主溝１０Ａの場合、有効長さａとは、図１１（Ａ）に例示するように、接地面Ｇ内に含まれる主溝１０Ａの部分の長さをａである。この場合、接地面Ｇでは、タイヤ幅方向外側に向かって接地面Ｇ内に含まれる主溝１０Ａの部分の長さａが小さくなるが、各主溝１０Ａの部分において長さａ，ｂがａ≧ｂの関係を満たすことが好ましい。
【００２８】
一方、溝１０が主傾斜溝１０Ｂの場合は、有効長さａとは、図１１（Ｂ）に例示するように、主傾斜溝１０Ｂが接地面Ｇ内で最も長い状態になったときの長さ（最大長さａ）である。この場合、主傾斜溝１０Ｂの最大長さａは、接地面Ｇ内で終端する主傾斜溝１０Ｂ（図１１（Ｂ）のタイヤセンターラインＣＬより右側に例示）では、主傾斜溝１０Ｂのタイヤ幅方向内側端からタイヤ幅方向外側端までの距離（主傾斜溝１０Ｂの全長）であり、接地面Ｇを越えて延在する主傾斜溝１０Ｂ（図１１（Ｂ）のタイヤセンターラインＣＬより左側に例示）では、主傾斜溝１０Ｂのタイヤ幅方向内側端から接地端までの距離である。
【００２９】
突条体１２の溝深さ方向の配置は特に限定されないが、好ましくは、突条体１２が溝底１３から溝深さＤの７５％の範囲内に存在すると良い。このように突条体１２を配置することで、摩耗初期においても突条体１２による排水性能を向上する効果を維持することが出来る。
【００３０】
上述の実施形態では、突条体１２は、溝底中央Ｃの一方側の溝内面１４と他方側の溝内面１５のうち、特に、左右の溝壁面１６，１７に設けられているが、溝底中央Ｃを越えなければ、図１２に例示するように、突条体１２が溝底１３まで延在していても良い。特に、突条体１２の湾曲形状の谷を溝底中央Ｃの近傍に配置することが好ましい。これにより、溝内面１１の広範囲に突条体１２を設けることが出来るため、より効果的に溝内の水を掻き出し、排水性能を向上することが出来る。
【００３１】
突条体１２の形状は特に限定されないが、例えば、断面形状を、図１３（Ａ）に例示するような半楕円形状、図１３（Ｂ）に例示する様な半円形状、図１３（Ｃ）に例示するような三角形状等にすることが出来る。いずれの場合も、突条体１２の最大幅ｗ、即ち、突条体の溝内面における幅ｗを０．２ｍｍ以上１．０ｍｍ以下にすることが好ましい。この範囲に設定することで、溝体積を維持して排水性能を保つことが出来る。また、金型の生産性が良くなると共に、製造時のゴム流れを阻害しないので、生産性を向上することが出来る。幅ｗが０．２ｍｍより小さいと、金型の製造が難しくなると共に、ゴム流れが阻害され、生産性を充分に向上することが難しくなる。幅ｗが１．０ｍｍより大きいと、溝体積が大幅に減少するため、排水性能を向上する効果が充分に得られない。
【００３２】
一方、突条体１２の突出高さｈは、突条体１２の全長に亘って一定であっても良いが、好ましくは、図１４，１５に例示するように、突条体１２の突出高ｈさを変動させて、溝１０の溝幅が広い部分での突条体１２の突出高さｈを高くすると共に、溝１０の溝幅が狭い部分での突条体１２の突出高さｈを低くすると良い。つまり、一般的に溝１０は、溝底１５に向かって溝幅が狭くなるので、それに応じて突条体１２の突出高さｈを変化させることが好ましい。具体的には、例えば、溝１０の開口部近傍での突条体１２の突出高さｈを最も高くし、溝底１５に向かって突条体１２の突出高さｈが徐々に低くなるようにすることが出来る。図１４，１５に例示する実施形態では、図１４の位置Ｘでの断面、即ち、突条体１２の山での断面（図１５（Ａ））における突出高さｈが最も大きく、図１４の位置Ｙでの断面、即ち、突条体１２の山と谷の中間地点での断面（図１５（Ｂ））における突出高さｈ、図１４の位置Ｚでの断面、即ち、突条体の谷での断面（図１５（Ｃ））における突出高さｈの順に、突出高さｈが小さくなっている。このように突条体１２の突出高さｈを変動させることで、突条体１２を設けることによる溝体積の大幅な減少を回避し、優れた排水性能を得ることが出来る。
【００３３】
このとき、突出高さｈは、０ｍｍ以上１ｍｍ以下の範囲内で変動させることが好ましい。つまり、突出高さｈが０ｍｍになることで、突条体１２が溝１０の長手方向に断続的に延在するようになっても良いが、突出高さが１ｍｍを超えないようにすると良い。突出高さｈが１ｍｍより大きいと、溝体積が大幅に減少するため、排水性能を向上する効果が充分に得られない。
【００３４】
上述の実施形態では、一方側の溝内面１４及び／又は他方側の溝内面１５のそれぞれに１本の突条体１２が設けられていたが、一方側の溝内面１４及び／又は他方側の溝内面１５のそれぞれに複数本の突条体１２を設けることも出来る。特に、図１６に例示するように、一方側の溝内面１４及び／又は他方側の溝内面１５のそれぞれに２本の突条体１２を設け、これら２本の突条体１２の振幅及び／又は周期を互いに異ならせることが好ましい。これにより、溝１０内の水を掻き出す効果を高めることが出来る。また、トレッド面９側の突条体１２が摩滅しても、溝底１３側の突条体１２が残るため、突条体１２による効果を維持することが出来る。
【００３５】
このとき、片側の溝内面１４，１５に設けられた複数本の突条体１２同士は、交差せずに延在することが好ましい。また、溝底１３側の突条体１２の振幅及び周期は、トレッド面９側の突条体１２の振幅及び周期よりも小さいことが好ましい。
【００３６】
突条体１２の波高Ｈ（振幅の２倍）は、突条体１２を溝壁１６，１７のみに設ける場合は、溝深さＤの５０％〜７５％にすることが好ましい。また、突条体１２が溝底１３にも延在する場合は、トレッド面９から溝底中央Ｃまでの距離の７５％〜９０％にするとよい。尚、図１６に例示するように、片側の溝内面１４，１５に複数本の突条体１２を設ける場合、突条体１２の波高Ｈは、片側の溝内面１４，１５に設けられた各突条体１２の波高Ｈ１，Ｈ２の総和とする。
【実施例】
【００３７】
タイヤサイズが２２５／４５Ｒ１７であり、タイヤの断面構造を図１、トレッドパターンを図２で共通にし、突条体の有無、突条体の断面形状、突条体の平面視形状、接地長に対する突条体の周期、両溝壁のいずれの溝壁が突条体を有するか（突条体を有する溝壁）、両壁に突条体を設けた場合の突条体の位相、突条体の深さ方向の位置、突条体の波高、突条体の最大幅、突条体の高さが一定であるか否か、突条体の高さの範囲、溝壁当たりの突条体の本数をそれぞれ異ならせた従来例１〜３、比較例１、実施例１〜８の１２種類の試験タイヤを製造した。
【００３８】
尚、従来例２，３は、突条体の代わりに溝を設けた例であり、上述の突条体の構成に対応する溝の構成を各欄に括弧を付して記載した。また、従来例２は、溝に対して傾斜した直線状の溝を多数配置した例であり、従来例３は、溝の長手方向に延びる直線状の溝を多数配置した例である。比較例１は、突条体が湾曲せずに溝の長手方向に対して直線状に延びる例である。
【００３９】
実施例１〜８において、突条体の湾曲形状は、いずれも正弦曲線状である。また、実施例８の接地長に対する周期の欄における「３／６」との記載は、片側の溝壁に設けられた２本の突条体のうち、トレッド面側が３で、溝底側が６であることを意味する。
【００４０】
これら１２種類の試験タイヤについて、下記の評価方法によりハイドロプレーニング発生速度及び生産歩留まり率を評価し、その結果を表１に併せて示した。
【００４１】
ハイドロプレーニング発生速度
各試験タイヤをリムサイズ１７×７ 1/2Ｊのホイールに組み付け、空気圧２３０ｋＰａを充填し、排気量２．０ＬのＦＲ車に装着し、水深１０ｍｍの水を満たしたプールに直進進入した。このプールに、ハイドロプレーニング現象が発生するまで少しずつ速度を変えながら繰り返し進入し、ハイドロプレーニング現象が発生した速度を記録した。評価結果は、従来例１を１００とする指数にて示した。この指数値が大きいほど、ハイドロプレーニング現象の発生速度が高く、排水性が優れていることを意味する。
【００４２】
生産歩留まり率
各試験タイヤをそれぞれ１００本製造し、金型から抜き取った後の加硫故障（突条体の欠け、ゴム流れ不良）の有無を目視で調べ、加硫故障が発生したタイヤ数をカウントした。評価結果は、測定値の逆数を用い、従来例１を１００とする指数にて示した。この指数値が大きい程、加硫故障が発生したタイヤ数が小さく、生産性が優れていることを意味する。
【００４３】
【表１】
2014124985.tif 000003
【００４４】
表１から判るように、実施例１〜８はいずれも、ハイドロプレーニング発生速度が高いと共に、生産歩留まり率が高く、排水性と生産性を共に向上した。一方、直線状の溝を多数設けた従来例２，３は、優れた排水性能は得られるものの、溝壁の形状が複雑になるため、生産歩留まり率が悪く、生産性が悪化した。また、直線状の突条体を片側の壁面のみに１本設けた比較例１は、溝壁の形状が単純であるため、生産歩留まり率が溝又は突条体を設けない従来例１と同等であるものの、直線状の突条体では水流を掻き出す効果が充分に得られないうえ、突条体により溝体積が減少するため、ハイドロプレーニング発生速度が低く、排水性能が低下した。
【符号の説明】
【００４５】
１  トレッド部
２  サイドウォール部
３  ビード部
４  カーカス層
５  ビードコア
６  ビードフィラー
７  ベルト層
８  ベルト補強層
９  トレッド面
１０  溝
１０Ａ  主溝
１０Ｂ  主傾斜溝
１１  溝内面
１２  突条体
１３  溝底
１４  一方側の溝内面
１５  他方側の溝内面
１６，１７  溝壁
ＣＬ  タイヤセンターライン
Ｃ  溝底中央
Ｌ  基準線
【図１】
2014124985.tif 000004
【図２】
2014124985.tif 000005
【図３】
2014124985.tif 000006
【図４】
2014124985.tif 000007
【図５】
2014124985.tif 000008
【図６】
2014124985.tif 000009
【図７】
2014124985.tif 000010
【図８】
2014124985.tif 000011
【図９】
2014124985.tif 000012
【図１０】
2014124985.tif 000013
【図１１】
2014124985.tif 000014
【図１２】
2014124985.tif 000015
【図１３】
2014124985.tif 000016
【図１４】
2014124985.tif 000017
【図１５】
2014124985.tif 000018
【図１６】
2014124985.tif 000019